(57)【要約】【課題】補助開口の内周と補助カバーとの間の隙間に不正器具が挿入されるのを防止するとともに、遊技補助装置用の補助開口に補助カバーを取付ける場合の作業時間を短縮する。【解決手段】補助カバー３００は、第１及び第２のカバー側係止爪３２１、３２２が操作部７の補助開口２２０の内部に配置される第１及び第２の開口側突起部２２１、２２２に係止し、カバー側ネジ止部３３０が開口側ネジ止め部２３０にネジ止め固定されることで操作部７に対して３箇所が固定されることになり、また、外側フランジ部３４２が補助開口２２０の内側フランジ部２４２に係止して補助開口２２０の縁を覆うことで、補助開口２２０の内周と補助カバー３００の隙間に不正器具が挿入されるの防止している。【選択図】図６
2008272349.tif 000002
【特許請求の範囲】
【請求項１】
前方に開口を有し内部に電気部品を収納した本体筐体と、
前記本体筐体に対して回動可能に取付けられることで前記開口を開閉可能な状態で閉塞させる前扉と、
前記前扉の前面における上下方向の略中央部に設けられ、操作ボタンや操作レバーが配設される上面パネル及び前面パネルを有し、遊技の補助を行う遊技補助装置または補助カバーのいずれか一方を選択して取付け可能な補助開口が前記上面パネルに形成された操作部と、
を備える遊技機であって、
前記操作部における前記補助開口の奥方には、前記遊技補助装置の少なくとも一部を収容可能な空間が形成され、前記操作部の内部における前記補助開口の近傍には、前記遊技補助装置を選択して取付け固定可能な選択取付部が設けられるとともに、第１及び第２の開口側突起部と一つの開口側ネジ止め部が設けられ、前記上面パネルの上面における前記補助開口の縁には、下方に向けて窪む段部を介して内側フランジ部が形成され、前記補助カバーの裏面には、前記第１及び第２の開口側突起部にそれぞれ係止する第１及び第２のカバー側係止爪が形成されるとともに、前記開口側ネジ止め部にネジ止め固定されるカバー側ネジ止部が形成され、前記補助カバーの裏面の外周には、前記内側フランジ部に係止して前記補助開口の縁を覆う外側フランジ部が上方に向けて窪む段部を介して形成されていることを特徴とする遊技機。
【請求項２】
前記補助開口に前記遊技補助装置を取付けないときには、前記第１及び第２の開口側突起部にそれぞれ前記第１及び第２のカバー側係止爪を係止し、前記カバー側ネジ止部を前記開口側ネジ止め部にネジ止め固定することで前記補助開口に前記補助カバーを取付けるとともに、前記補助開口を含む前記上面パネルを覆う第１のカバーパネルを当該上面パネルに取付けることを特徴とする請求項１に記載の遊技機。
【請求項３】
前記補助開口に前記遊技補助装置を取付けるときには、前記遊技補助装置を外面側に露出させる開口が形成された第２のカバーパネルを前記操作部の前記上面パネルに取付けることを特徴とする請求項１または２に記載の遊技機。
【請求項４】
前記選択取付部は、前記第１及び第２の開口側突起部に形成され、前記遊技補助装置をネジ止めするネジ止め部であることを特徴とする請求項１乃至３の何れか１項に記載の遊技機。
【発明の詳細な説明】
【技術分野】
【０００１】
本発明は、前方に開口を有する本体筐体と、前記本体筐体に対して回動可能に取付けられることで前記本体筐体の開口を開閉可能な状態で閉塞させる前扉とを備え、前記前扉に遊技補助装置を選択して取付可能な補助開口を設けた遊技機に関する。
【背景技術】
【０００２】
従来、遊技機の一例としてのスロットマシンが存在している。スロットマシンは、前面が開口する箱状に形成された本体筐体と、前記本体筐体の前面開口を開閉自在とする前面扉とから構成されている。前記本体筐体内には、外周に複数種類の図柄が配列されたリール、貯留されたメダルを払出すためのメダル払出装置、電源基板が内蔵された電源ユニット、その他各種装置や基板等が配設されている。
【０００３】
前記スロットマシンの前扉前面には、遊技者が遊技のために操作する操作ボタン、操作レバー等が配設された操作部が略中央部に位置して設けられている。このような操作ボタンとしては、ＯＮＥ−ＢＥＴボタン、ＭＡＸ−ＢＥＴボタン、ストップボタン、精算ボタン、リジェクトボタン等があり、操作レバーとしては遊技を開始させるためのスタートレバー等がある。一般的にスロットマシンの操作部は、前扉前面の上下方向略中央部に左右に延びるとともに前方に突出して設けられ、操作部の上面及び前面にこれら操作ボタン、操作レバー等が設けられる。
【０００４】
さらに近年では、スロットマシンの操作部の上面スペースを利用して遊技補助装置（例えば、補助操作ボタン装置、メダル貸出用カード操作装置すなわちＣＲ装置の操作装置）を取付けることが考えられている。但し、遊技補助装置は全てのスロットマシンに取付けられることまでも要求されず、これを取付けるか否かを選択できるようにすることが望まれている。
【０００５】
このようにスロットマシン毎に遊技補助装置を選択的に取付けることができるように、操作部上面に補助開口を設け、遊技補助装置をこの補助開口に取付けるようにすることが考えられている。この場合に遊技補助装置を取付けないときには補助開口を覆う補助カバーを取付けて、操作部すなわち前扉本体を共通化できるようにしている。しかしながら、このように補助開口に補助カバーを取付ける構成とした場合、前記補助開口の周囲における補助カバーとの隙間から針金等を挿入して内部装置に対する不正アクセスが行われる可能性があるという問題がある。
【０００６】
このことに対応して、例えば特許文献１には、遊技補助装置用の補助開口に補助カバーを取付けた後、操作部の補助開口を含む上面を覆う第１カバーパネルを取付けるスロットマシンの操作部構造が開示されている。
【０００７】
【特許文献１】特開２００５−２１４３６号公報
【発明の開示】
【発明が解決しようとする課題】
【０００８】
しかしながら従来の補助カバー及び第１カバーパネルを取付けるスロットマシンの操作部構造では、第１カバーパネルが装飾用であるためその材質の剛性に制約があり、第１カバーパネルを弾性変形させ、補助開口の内周と補助カバーとの間の隙間に不正器具が挿入される可能性があり、不正アクセスの防止について十分であるといえなかった。また、補助開口に取付けられた補助カバーは、端部に力が加えられて捲られるのを防止するため２箇所以上のネジ止めにより操作部に固定するようになっているので、遊技補助装置用の補助開口に補助カバーを取付ける場合の作業に時間を要していた。
【０００９】
本発明は、こうした従来の問題に鑑みてなされたものであり、補助開口の内周と補助カバーとの間の隙間に不正器具が挿入されるのを防止するとともに、遊技補助装置用の補助開口に補助カバーを取付ける場合の作業時間を短縮することができる遊技機の提供を目的としている。
【課題を解決するための手段】
【００１０】
上述した課題を解決するため、請求項１に記載の発明は、前方に開口を有し内部に電気部品を収納した本体筐体と、前記本体筐体に対して回動可能に取付けられることで前記開口を開閉可能な状態で閉塞させる前扉と、前記前扉の前面における上下方向の略中央部に設けられ、操作ボタンや操作レバーが配設される上面パネル及び前面パネルを有し、遊技の補助を行う遊技補助装置または補助カバーのいずれか一方を選択して取付け可能な補助開口が前記上面パネルに形成された操作部と、を備える遊技機であって、前記操作部における前記補助開口の奥方には、前記遊技補助装置の少なくとも一部を収容可能な空間が形成され、前記操作部の内部における前記補助開口の近傍には、前記遊技補助装置を選択して取付け固定可能な選択取付部が設けられるとともに、第１及び第２の開口側突起部と一つの開口側ネジ止め部が設けられ、前記上面パネルの上面における前記補助開口の縁には、下方に向けて窪む段部を介して内側フランジ部が形成され、前記補助カバーの裏面には、前記第１及び第２の開口側突起部にそれぞれ係止する第１及び第２のカバー側係止爪が形成されるとともに、前記開口側ネジ止め部にネジ止め固定されるカバー側ネジ止部が形成され、前記補助カバーの裏面の外周には、前記内側フランジ部に係止して前記補助開口の縁を覆う外側フランジ部が上方に向けて窪む段部を介して形成されていることを特徴とする。
【００１１】
請求項２に記載の発明は、請求項１に記載の遊技機であって、前記補助開口に前記遊技補助装置を取付けないときには、前記第１及び第２の開口側突起部にそれぞれ前記第１及び第２のカバー側係止爪を係止し、前記カバー側ネジ止部を前記開口側ネジ止め部にネジ止め固定することで前記補助開口に前記補助カバーを取付けるとともに、前記補助開口を含む前記上面パネルを覆う第１のカバーパネルを当該上面パネルに取付けることを特徴とする。
【００１２】
請求項３に記載の発明は、請求項１または２に記載の遊技機であって、前記補助開口に前記遊技補助装置を取付けるときには、前記遊技補助装置を外面側に露出させる開口が形成された第２のカバーパネルを前記操作部の前記上面パネルに取付けることを特徴とする。
【００１３】
請求項４に記載の発明は、請求項１乃至３の何れか１項に記載の遊技機であって、前記選択取付部は、前記第１及び第２の開口側突起部に形成され、前記遊技補助装置をネジ止めするネジ止め部であることを特徴とする。
【００１４】
請求項１乃至４に記載の発明によれば、前記第１及び第２の開口側突起部に前記第１及び第２のカバー側係止爪を係止し、前記カバー側ネジ止部を前記開口側ネジ止め部にネジ止め固定することで一箇所のネジ止めにより補助カバーの３箇所が固定されることになり、また、前記補助カバーの外側フランジ部が前記補助開口の前記内側フランジ部に係止して前記補助開口の縁を覆うので、補助開口の内周と補助カバーとの間の隙間に不正器具が挿入されるのを防止するとともに、遊技補助装置用の補助開口に補助カバーを取付ける場合の作業時間を短縮することができる。
【００１５】
請求項２記載の発明によれば、操作部及び補助カバーの構造として請求項１に記載した構造を採用した場合にも、第１のカバーパネルにより前記補助開口を含む前記上面パネルを覆うことができる。
【００１６】
請求項３記載の発明によれば、操作部及び補助カバーの構造として請求項１に記載した構造を採用した場合にも、第２のカバーパネルの補助開口により前記遊技補助装置を外面側に露出させることができる。
【００１７】
請求項４記載の発明によれば、前記遊技補助装置を選択して取付け固定可能な前記選択取付部は、前記第１及び第２の開口側突起部に形成されているので、構造を余り複雑化させることなく、補助開口に前記遊技補助装置と補助カバーの何れか一方を選択して取付けることができる。
【発明の効果】
【００１８】
本発明の遊技機によれば、補助開口の内周と補助カバーとの間の隙間に不正器具が挿入されるのを防止するとともに、遊技補助装置用の補助開口に補助カバーを取付ける場合の作業時間を短縮することができるので、補助開口に遊技補助装置を取付る遊技機と補助開口に遊技補助装置の代わりに補助カバーを取付ける遊技機とで部品を共通化した場合にも製造コストをあまり増大させることなく不正行為の防止を行える。
【発明を実施するための最良の形態】
【００１９】
以下、本発明に係る遊技機の好適な一実施形態をスロットマシンを例に図面を参照して説明する。なお、図１はスロットマシン１の外観構造を表した斜視図である。図２は前扉３を開放した状態におけるスロットマシン１の内部構造を表した図である。図３はスロットマシン１の制御システムを表したブロック図である。
【００２０】
図１において、スロットマシン１は、前方に開口を有する略矩形状の箱体である本体筐体２と、当該本体筐体２に対して蝶番機構により回動可能に取付けられることで前記開口を開閉可能な状態で閉塞させる前扉３とを備えている。
【００２１】
図１において、前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留するメダル受皿６２が一体的に形成されたメダル受皿部６が設けられている。
【００２２】
また、上部パネル部４と下部パネル部５との間には、遊技者側に突出し、ゲーム操作を行うためのスイッチ類が配置されている操作部７が一体的に形成されている。なお、上部パネル部４、操作部７、下部パネル部５、及びメダル受皿部６は、遊技者側に面し、これらによって「前面パネル部」が構成される。
【００２３】
上部パネル部４の中央には、硬質プラスチック板等で形成されたパネル面４１が設けられている。パネル面４１のほぼ中央には略長方形の透明な表示窓４２が形成されている。スロットマシン１は、このような表示窓４２を通して本体筐体２内に設けられているリールユニット１００の３個のリール１０１ａ、１０１ｂ、１０１ｃが目視されるようになっている。
【００２４】
ここで、本体筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できる。
【００２５】
上部パネル部４の上部には、高輝度発光ダイオード等のランプ類を内蔵する演出用照明部４３と、ゲームに係る効果音を発生させるスピーカを内蔵する演出用放音部４４ａ、４４ｂが配置されている。
スロットマシン１は、ゲームの進行に応じて上述した演出用照明部４３等が点灯又は点滅することで、ゲームにおける視覚的な演出効果を高めるように形成されている。
【００２６】
また、演出用放音部４４ａ、４４ｂの間には、透明な硬質プラスチック板等が嵌め込まれて形成された表示窓４５に面して遊技機の演出装置として液晶表示装置４６が配置されている。なお、液晶表示装置４６は、ゲームの演出に係る映像やゲーム（遊技）に関する情報を主に表示する。
【００２７】
操作部７の上面右側にはメダル投入ガイド７１が設けられている。メダル投入ガイド７１はメダルを投入するためのメダル投入口７２を有する。また、当該上面の左側には、押しボタンスイッチである２個のベットボタン７３、７４が設けられている。
【００２８】
ベットボタン７３、７４はスロットマシン１の１ゲームに賭けるメダルの枚数を提示するためのボタンスイッチである。本スロットマシン１においては、ゲームを開始する際に、ベットボタン７３が押圧操作されることで、貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２９】
操作部７の前面左側には、リール１０１ａ、１０１ｂ、１０１ｃの回転開始を指示するためのスタートレバー７５が設けられている。スタートレバー７５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００３０】
また、操作部７の中央には、各リール１０１ａ、１０１ｂ、１０１ｃの回転停止をそれぞれ指示するためのストップボタン７６ａ、７６ｂ、７６ｃが各リールの配列に対応して並設されている。
【００３１】
さらに、操作部７の前面の左隅には、ゲームに賭けられたメダルをキャンセルして払い出させることを指示するとともに、後述するメダルクレジット手段１２３（図３参照）が内部貯留したメダルを精算して払い出させることを指示するための精算ボタン７７が設けられている。
【００３２】
操作部７の前面右側には、前扉３を開錠するための鍵が挿入される鍵穴７８が設けられている。スロットマシン１の管理者等が鍵穴７８に所定の鍵を挿入して開錠操作すると、蝶番機構によって本体筐体２に取付けられている前扉３を前方へ開くことができ、また前扉３を本体筐体２側に閉じると、自動的にこれらを施錠するようになっている。
【００３３】
下部パネル部５には、スロットマシン１のモデルタイプを遊技者へ認識させる等のため、登場キャラクターの絵などを表示する表示パネル５１が設けられている。
下部パネル部５の下側に配置されたメダル受皿部６には、入賞時にメダルを排出するメダル払出口６１と、払い出されたメダルを貯留するメダル受皿６２と、演出効果音を発生させるスピーカを内蔵する左右の演出用放音部６３ａ、６３ｂとが配置されている。
【００３４】
次に、図２を参照して、本体筐体２の内部構造と前扉３の裏面構造とを説明する。
図２において、本体筐体２の前方には開口８を有している。この開口８内の上部には、左右のブラケット部材８１、８２を介して硬質プラスチックの基板ケース８０に収納された主制御基板２０が取付けられている。主制御基板２０は、スロットマシン１の全体動作を集中制御するＣＰＵ（マイコン）を備えている。
【００３５】
本体筐体２内の中央には、リール１０１ａ、１０１ｂ、１０１ｃを備えるリールユニット１００が設けられている。リールユニット１００は、前扉３が本体筐体２側に閉じられると前扉３の表示窓４２にリール１０１ａ、１０１ｂ、１０１ｃが対向するように、所定フレームに位置決めされて取付けられている。なお、各リール１０１ａ、１０１ｂ、１０１ｃは、それぞれに内蔵されたステッピングモータによって回転駆動される。
【００３６】
また、リールユニット１００の上部には、各リールを回転駆動する上記ステッピングモータへ４相の駆動パルス信号を送出する回胴装置基板が取付けられており、主制御基板２０が回胴装置基板に回胴駆動（励磁）パルスデータを送出することで、各リールの回転と制動及び停止の制御を行っている。
【００３７】
リールユニット１００の下方には、ホッパ装置２１と、ホッパ装置２１から溢れたメダルを収容するための補助貯留部２３と、電源ユニット２４が設けられている。電源ユニット２４の内部の右側には、いわゆる配電盤に相当する電源基板２５が設けられている。電源ユニット２４は、後述のハーネスを介してホッパ装置２１、電源ユニット２４及びサブ制御基板４０と電気的に接続する。ホッパ装置２１の前面には、メダルを排出するメダル排出口２２が設けられている。
更に、本体筐体２の上部右側の内壁に、遊技場に設置されている「ホールコンピュータ」と呼ばれる管理用コンピュータと接続可能な外部集中端子基板２６が取付けられている。
【００３８】
次に、前扉３の裏面側上部には、発光駆動部３０が配置されている。発光駆動部３０は、演出用照明部４３の光源である高輝度の発光ダイオードが複数配列され、この発光ダイオードを発光駆動する駆動回路が実装されている。
【００３９】
また、前扉３の裏面側上部には、上述の演出用放音部４４ａ、４４ｂに対向してスピーカ３２ａ、３２ｂが取付けられている。また、スピーカ３２ａ、３２ｂの間には、液晶表示装置４６が取付けられている。更に、液晶表示装置４６の裏面側には、電気回路基板で形成され硬質プラスチックの基板ケース９０に収納されたサブ制御基板４０が取付けられている。
【００４０】
主制御基板２０及びサブ制御基板４０は、スロットマシン１の作動を制御する制御基板である。
【００４１】
サブ制御基板４０の下方には、リール１０１ａ、１０１ｂ、１０１ｃを目視させるための透明な表示窓４２が形成されたパネル板４７が配置され、表示窓４２の下方には、前面側のスタートレバー７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。
【００４２】
中央表示基板３３の下方には、メダル選別装置３４が取付けられている。メダル選別装置３４は、メダル投入ガイド７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４３】
メダル選別装置３４の装置本体の下方には、メダル選別装置３４によって振り分けられた正規のメダルを本体筐体２内に設けられているホッパ装置２１へ案内するガイド部材３５と、メダル選別装置３４により排除されたメダル（又は異物）をメダル払出口６１へ案内するガイド部材３６が設けられている。また、前扉３の裏面側下部には、ホッパ装置２１のメダル排出口２２から排出されたメダルをメダル払出口６１へ案内するガイド部材３７が設けられている。更に、メダル払出口６１に隣接して、上述した演出用放音部６３ａ、６３ｂに対向するスピーカ３８ａ、３８ｂが取付けられている。
【００４４】
なお、スロットマシン１全体の動作は、本体筐体２側に設けられている主制御基板２０によって統括制御されており、サブ制御基板４０は、液晶表示装置４６による演出映像の表示制御、及び演出用放音部４４ａ、４４ｂ、６３ａ、６３ｂのスピーカ３２ａ、３２ｂ、３８ａ、３８ｂを使った演出効果音制御など、ゲームの演出に係る制御を主に行っている。
【００４５】
次に、図３のブロック図を参照して、スロットマシン１に設けられている制御システムについて説明する。
図３において、主制御基板２０は、ＣＰＵ１２０と、記憶部１２１とを備えている。
記憶部１２１は、ＲＯＭ、ＲＡＭ等の半導体メモリによって構成され、スロットマシンゲーム用のシステムプログラム１２２が予め記憶されている。主制御基板２０は、記憶部１２１に記憶されたシステムプログラム１２２に従ってＣＰＵ１２０が演算処理を実行することで、スロットマシン１全体の動作を統括制御している。
【００４６】
また、記憶部１２１にはメダルクレジット手段１２３が設けられている。メダルクレジット手段１２３はスロットマシン１が内部貯留するメダルの数であるクレジットをメモリに記憶する。
【００４７】
主制御基板２０には、ベットボタン７３、７４、スタートレバー７５、ストップボタン７６ａ、７６ｂ、７６ｃ、精算ボタン７７等の操作スイッチ類、メダル選別装置３４のメダルセンサ１３１、ホッパ装置２１等のメダル払出装置、及びサブ制御基板４０等がハーネスを介して接続されている。
【００４８】
主制御基板２０は、前記操作スイッチ類やメダル選別装置３４のメダルセンサ１３１からの出力信号によりゲームに係る操作を検出する。
主制御基板２０は、動作モードがメダルベット待機状態となっている場合において、メダルセンサ１３１がメダルを検出した場合、検出したメダルをゲームの賭数に加算する。
【００４９】
また、主制御基板２０は、動作モードがメダルクレジット入力待機状態となっている場合において、メダルセンサ１３１がメダルを検出した場合、検出したメダルをメダルクレジット手段１２３のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段１２３の前記クレジット数が最大値（５０）になるまでの状態のことを示している。
【００５０】
主制御基板２０は、各リール１０１ａ、１０１ｂ、１０１ｃに設けられる基準位置センサ１０３ａ、１０３ｂ、１０３ｃの検出信号を入力し、各リールの基準となる回転位置を把握しながら、回胴装置基板１１０に所定の回胴駆動パルスデータを送出する。回胴装置基板１１０は、主制御基板２０からの回胴駆動パルスデータに従って各ステッピングモータ１０２ａ、１０２ｂ、１０２ｃを回転駆動することで、各リール１０１ａ、１０１ｂ、１０１ｃの回転及び停止の動作制御を行っている。
【００５１】
主制御基板２０は、入賞が確定した場合等において、電源装置２５を介してホッパ装置２１を制御することで、所定数のメダルをメダル受皿６２に払い出す。
また、主制御基板２０は、精算ボタン７７が操作された場合、ゲームに賭けられたメダルをキャンセルしてホッパ装置２１に払い出させるとともに、メダルクレジット手段１２３（図３参照）が内部貯留したメダルを精算してホッパ装置２１に精算前のクレジット数のメダルを払い出させる。
【００５２】
サブ制御基板４０は、主制御基板２０からの制御信号に基づいて液晶表示装置４６（図１参照）、演出用照明部４３（図１参照）、演出用放音部４４ａ、４４ｂ、６３ａ、６３ｂ（図１参照）のスピーカ３２ａ、３２ｂ、３８ａ、３８ｂ等の演出装置５０を制御駆動することで、遊技者の視覚や聴覚に訴える演出をゲームの進行に応じて行っている。
【００５３】
一方、主制御基板２０の記憶部１２１には、入賞抽選テーブル１２４が記憶されている。また、記憶部１２１には、内部当選した入賞役に対応するフラグを記憶する内部抽選フラグ記憶領域１２５が設定されている。主制御基板２０には、乱数値のデータを発生する乱数発生装置１２６がＣＰＵ１２０に接続した状態で設けられている。例えばＣＰＵ１２０は、スタートレバー７５の操作を検出した時点で乱数発生装置１２６から乱数値を取得し、入賞抽選テーブル１２４を参照することで、得られた乱数値に割り当てられた入賞役またはハズレを抽選する。そして、ＣＰＵ１２０は、乱数値に対応する入賞役が存在すると、それを当該ゲームの入賞役として抽選結果を当選にし、記憶部１２１の内部抽選フラグ記憶領域１２５における当選した入賞役のフラグをオンにする。ここでは、かかる入賞役の抽選方法を「内部抽選」と呼んでいる。
【００５４】
次に、スロットマシン１におけるゲーム動作の概要を説明する。
スロットマシン１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が液晶表示装置４６等によって行われる。次に、遊技者がメダル投入ガイド７１にメダルを投入し、もしくは、何れかのベットボタン７３、７４を押圧操作することで、スロットマシン１は、内部に貯留したメダル（クレジット）から当該ゲームに所定枚数のメダルが賭けられゲームを準備する。
【００５５】
ゲーム準備の状態でスタートレバー７５が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ１２５に記憶される。
【００５６】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ１２５に対応する入賞役に係る図柄の組合せとが一致しているかどうか判定する。
【００５７】
これら図柄の組合せが一致し役への入賞が確定すると、スロットマシン１は、主制御基板２０によりメダルクレジット手段１２３の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルをメダル受皿６２へ払い出す。
【００５８】
以下、図４乃至図１８を参照して操作部７について詳細に説明する。
図４は、前扉３の分解斜視図である。図５は、前扉３の裏面図である。図６は、操作部７の補助開口２２０、補助カバー３００及びその周辺部の分解斜視図である。図７は、操作部７の補助開口２２０、補助カバー３００及びその周辺部の組み立てた状態の斜視図である。図８は、補助カバー３００の左斜め下から見た斜視図である。図９は、補助カバー３００の正面図である。図１０は、補助カバー３００の底面図である。図１１は、前扉３の裏側から見た補助開口２２０及びその周辺部の補助カバー３００を取付けていない状態の斜視図である。図１２は、前扉３の裏側から見た補助開口２２０及びその周辺部の補助カバー３００を仮固定した状態の斜視図である。図１３は、前扉３の裏側から見た補助開口２２０及びその周辺部の補助カバー３００をネジ止め固定した状態の斜視図である。図１４は、前扉３の補助開口２２０及びその周辺部の左側から見た断面図である。図１５は、前扉３の補助開口２２０及びその周辺部の正面から見た断面図である。図１６は、操作部７の補助開口２２０、遊技補助装置４００及びその周辺部の分解斜視図である。図１７は、操作部上面パネル２０１の補助開口２２０に遊技補助装置４００を取付けた状態の斜視図である。図１８は、操作部７の補助開口２２０、遊技補助装置４００及びその周辺部の組み立てた状態の斜視図である。
【００５９】
図４おいて、操作部７は、上面部２００と操作部前面パネル２０３とから構成され、前扉３の前面における上下方向の略中央部に設けられる。上面部２００には、ベットボタン７３、ベットボタン７４及びメダル投入ガイド７１が設けられる。操作部前面パネル２０３には、スタートレバー７５及びストップボタン７６ａ、７６ｂ、７６ｃが設けられる。
【００６０】
前記上面部２００は、操作部上面パネル２０１と、この操作部上面パネル２０１の上に重ねて取付けられる補助装置非搭載用カバーパネル２０２とから構成される。また、操作部上面パネル２０１と操作部前面パネル２０３は一体形成されている。
【００６１】
以下、上面部２００についてさらに詳細に説明する。
上面部２００の操作部上面パネル２０１には、ベットボタン７３及びベットボタン７４を取付けるための取付開口２１１、２１２と、メダル投入ガイド７１を取付けるとともにメダル投入ガイド７１から投入されたメダルを通過させるためのメダル投入用開口２１３が設けられている。
【００６２】
メダル投入用開口２１３の内部には、ネジ止め部２１４、２１４が設けられている。ネジ止め部２１４、２１４は、メダル投入ガイド７１の基部７０１をネジ５０１、５０１によりネジ止め固定するためのものである。
【００６３】
メダル投入ガイド７１は、下方に設けられるネジ止め用の基部７０１と、外部に露出する外装部７０２とを備えて構成される。
外装部７０２は、上面側に開口するとともに前後に延びた半円弧状のガイド溝７０３と、このガイド溝７０３の後端部に略垂直に起立して設けられたストッパ壁７０４と、ガイド溝７０３におけるストッパ壁７０４の下部に沿って垂直に貫通して形成されたスリット状のメダル投入口７２とを備えて構成される。このメダル投入ガイド７１におけるガイド溝７０３は、左右の円弧状のガイド壁７０５、７０６により形成される。左側のガイド壁７０５は右側のガイド壁７０６より高く形成されている。
【００６４】
ベットボタン７３は、本体ケース７１１の上方に押圧部７１２を上下移動可能に設けたものである。本体ケース７１１の上側外周にはフランジ部７１３が形成されている。本体ケース７１１の側面下部には、操作部上面パネル２０１の内側面における取付開口２１１の縁に係止可能な係止爪７１４が形成されている。係止爪７１４は、本体ケース７１１の所定部分の弾性変形により本体ケース７１１の内側に移動可能になっている。
【００６５】
ベットボタン７４は、本体ケース７２１の上方に押圧部７２２を上下移動可能に設けたものである。本体ケース７２１の上側外周にはフランジ部７２３が形成されている。また、本体ケース７２１のフランジ部７２３より下の外周には、ナット７３０が螺着される雄ネジ部７２４が形成されている。
【００６６】
一方、上面パネル２０１の左右方向の略中央部には、遊技の補助を行う遊技補助装置４００（図１６乃至図１８参照）または補助カバー３００のいずれか一方を選択して取付け可能な補助開口２２０が形成されている。
【００６７】
前記操作部７の内部における前記補助開口２２０の近傍には、遊技補助装置４００（図１５及び図１８参照）をネジ止めするための第１及び第２の開口側突起部２２１、２２２と、補助カバー３００をネジ止めするための一つの開口側ネジ止め部２３０（図５及び図６参照）が設けられている。
【００６８】
ここで図１６乃至図１８に示す遊技補助装置４００は、スロットマシン１の全ての仕様で取付けられるものではなく、必要に応じて取付けられる装置であり、遊技補助装置４００を使用しないときには、図７、図１３乃至図１５に示すように、補助カバー３００を取付けてこの補助開口２２０を塞ぐようになっている。
【００６９】
図４において、補助装置非搭載用カバーパネル２０２は、操作部上面パネル２０１の外側面に取付けられ、補助開口２２０及びその周囲を覆うようになっており、補助開口２２０と補助カバー３００との間の隙間から針金等を挿入して不正操作が行われることをある程度防止するようになっている。補助装置非搭載用カバーパネル２０２は、ベットボタン７３、７４を取付けるための取付用貫通部２８１、２８２と、メダル投入ガイド７１の基部を挿入するための切欠部２８３が設けられている。一方、操作部上面パネル２０１の外側面の前部及び左右の側部には、補助装置非搭載用カバーパネル２０２の位置決めを行うための段部２１０が形成されている。
【００７０】
ベットボタン７３は、操作部上面パネル２０１に補助装置非搭載用カバーパネル２０２が重ね合された状態で、本体ケース７１１が補助装置非搭載用カバーパネル２０２の取付用貫通部２８１及び操作部上面パネル２０１の取付開口２１１に連続して挿入し、そのフランジ部７１３が補助装置非搭載用カバーパネル２０２の外側面における取付用貫通部２８１の縁に係止し、係止爪７１４が操作部上面パネル２０１の内側面における取付開口２１１の内側の縁に係止する。これによりベットボタン７３は、操作部７の上面部２００に取付けられた状態で補助装置非搭載用カバーパネル２０２の左側を操作部上面パネル２０１に固定する。
【００７１】
ベットボタン７４は、操作部上面パネル２０１に補助装置非搭載用カバーパネル２０２が重ね合された状態で、本体ケース７２１が補助装置非搭載用カバーパネル２０２の取付用貫通部２８２及び操作部上面パネル２０１の取付開口２１２に連続して挿入し、そのフランジ部７２３が補助装置非搭載用カバーパネル２０２の外側面における取付用貫通部２８２の縁に係止する。操作部上面パネル２０１の取付開口２１２から下方に突出した本体ケース７２１の雄ネジ部７２４にはナット７３０（図１３参照）が螺着される。ナット７３０は操作部上面パネル２０１の内側面における取付開口２１２の内側の縁に係止する。これによりベットボタン７４は、操作部７の上面部２００に取付けられた状態で補助装置非搭載用カバーパネル２０２の左側を操作部上面パネル２０１に固定する。
【００７２】
メダル投入ガイド７１は、操作部上面パネル２０１に補助装置非搭載用カバーパネル２０２が重ね合された状態で、基部７０１が補助装置非搭載用カバーパネル２０２の切欠部２８３及び操作部上面パネル２０１のメダル投入用開口２１３に連続して挿入し、外装部７０２の下面が補助装置非搭載用カバーパネル２０２の外側面に係止する。メダル投入ガイド７１の基部７０１は、ネジ５０１、５０１によりメダル投入用開口２１３内のネジ止め部２１４、２１４にネジ止め固定される。これによりメダル投入ガイド７１は、操作部７の上面部２００に取付けられるとともに、補助装置非搭載用カバーパネル２０２の右側を操作部上面パネル２０１に固定する。
【００７３】
尚、補助装置非搭載用カバーパネル２０２と操作部上面パネル２０１との間には、補助装置非搭載用カバーパネル２０２とほぼ同一形状のシートを挟んで配設しても良い。これにより、このシートに例えば、ゲーム操作等のインストラクションを表示できるとともに、このシートにより外部からの不正操作をある程度防止できる。
【００７４】
以下、前記補助開口２２０と開口側ネジ止め部２３０と第１及び第２の開口側突起部２２１、２２２について詳細に説明する。
図５に示すように、操作部上面パネル２０１の前記補助開口２２０は、横方向に長い長四角形状に形成されている。
図５及び図１１に示すように、前記操作部７の内部における前記補助開口２２０の前方の左側及び右側には、前後方向に延びるリブ２２３、２２４が設けられている。リブ２２３、２２４の後側は、第１及び第２の開口側突起部２２１、２２２が連続して設けられている。第１及び第２の開口側突起部２２１、２２２は、図６に示すように上側から見て補助開口２２０の前辺から前記補助開口２２０の内側に突出する。
【００７５】
図１１において、第１及び第２の開口側突起部２２１、２２２の先端面には、ネジ穴２２５、２２６が形成されている。
また、前記操作部７の内部における前記補助開口２２０の前側中央の縁には、前後方向に延びる開口側ネジ止め部２３０（図５及び図６参照）がリブと兼用で形成されている。開口側ネジ止め部２３０の後側の端面には、補助カバー３００をネジ止めするためのネジ穴２３１が形成されている。
【００７６】
前記操作部７における補助開口２２０の奥方には、図１４に示すように前記遊技補助装置４００の少なくとも一部を収容可能な空間２５０が形成される。
前記操作部７の外側面における補助開口２２０の縁には、図６に示すように、下方に向けて窪む段部２４１を介して内側フランジ部２４２が形成されている。
【００７７】
以下、補助カバー３００について詳細に説明する。
図８において、補助カバー３００は、前記補助開口２２０を閉塞する平面部３０１の裏面に前後左右の側壁３１１、３１２、３１３、３１４と、複数のリブ３１５、３１６と、第１及び第２のカバー側係止爪３２１、３２２と、カバー側ネジ止部３３０とを形成したものである。
【００７８】
前後左右の側壁３１１、３１２、３１３、３１４は、平面部３０１の外周から所定間隔を置いて形成されている。これにより前後左右の側壁３１１、３１２、３１３、３１４の外周面は、前記補助カバー３００の裏面の上方に向けて窪む段部３４１となり、平面部３０１の段部３４１より外周は、前記内側フランジ部２４２に係止して前記補助開口２２０の縁を覆う外側フランジ部３４２になっている。
【００７９】
前記補助カバー３００の裏面の前後左右の側壁３１１、３１２、３１３、３１４により囲まれる領域には、図１０に示す前後方向に延びる複数のリブ３１５と、左右方向に延びる複数のリブ３１６が形成されている。
【００８０】
図９に示すように、前記補助カバー３００の前方の側壁３１１における左右方向の中間部は、他の部分より下方に延出するカバー側ネジ止部３３０になっている。カバー側ネジ止部３３０には、ネジ５０２（図６参照）のネジ部が挿通される貫通孔３３１が形成されている。
【００８１】
図８に示すように、前記補助カバー３００の裏面の左辺近傍で前寄り位置には、下方に突出する板状部３２３を介して前向きのカバー側係止爪３２１を設けられている。図８及び図９に示すように、板状部３２３の前面には、第１の開口側突起部２２１（図１１参照）のネジ穴２２５（図１１参照）に挿入する凸部３２５が形成されている。図８に示すように、前記補助カバー３００の裏面の右辺近傍で前寄り位置には、下方に突出する板状部３２４を介して前向きのカバー側係止爪３２２を設けられている。図８及び図９に示すように、板状部３２４の前面には、第２の開口側突起部２２２（図１１参照）のネジ穴２２６（図１１参照）に挿入する凸部３２６が形成されている。
【００８２】
図６に示すように、前記補助カバー３００の前方の側壁３１１における左端及び右端には、それぞれ第１及び第２の開口側突起部２２１、２２２が挿入される切欠部３２７、３２８が形成されている。前記補助カバー３００の裏面の左辺及び右辺近傍で前寄り位置には、カバー側係止爪３２１、３２２の金型形成を容易にするための凹部３１７、３１８が形成されている。
【００８３】
以下、遊技補助装置４００を使用せず前記補助カバー３００を使用して操作部７を組み立てる方法について説明する。
まず、作業者は、図６に示す前記補助カバー３００の裏面を前記操作部７の操作部上面パネル２０１の補助開口２２０に向け、図１２に示すようにカバー側係止爪３２１、３２２を補助開口２２０内の前記第１及び第２の開口側突起部２２１、２２２にそれぞれ係止し、板状部３２３、３２４の凸部３２５、３２６を第１及び第２の開口側突起部２２１、２２２のネジ穴２２５、２２６に挿入することで、前記補助カバー３００を前記操作部７に仮固定する。この状態では、前記補助カバー３００の外側フランジ部３４２（図８参照）が前記補助開口２２０の前記内側フランジ部２４２（図６参照）に係止して前記補助開口２２０の縁を覆う。
【００８４】
次に、作業者は、前扉３の裏側からネジ５０２のネジ部を前記補助カバー３００のカバー側ネジ止部３３０のネジ孔３３１に挿入し、開口側ネジ止め部２３０のネジ穴２３１に螺入して締め付けることで、図７及び図１３に示すように前記補助カバー３００のカバー側ネジ止部３３０を開口側ネジ止め部２３０にネジ止めする。これにより補助カバー３００は、操作部上面パネル２０１に対して完全に固定される。
【００８５】
次に、作業者は、操作部上面パネル２０１の段部２１０及びパネル面４１の下部に囲まれる領域に補助装置非搭載用カバーパネル２０２を配置する。これにより、操作部上面パネル２０１に補助装置非搭載用カバーパネル２０２が重ね合された状態になる。この状態で、作業者は、ベットボタン７３の本体ケース７１１を補助装置非搭載用カバーパネル２０２の取付用貫通部２８１及び操作部上面パネル２０１の取付開口２１１に挿入し、フランジ部７１３を補助装置非搭載用カバーパネル２０２の外側面における取付用貫通部２８１の縁に係止させ、係止爪７１４を操作部上面パネル２０１の内側面における取付開口２１１の内側の縁に係止させることで、ベットボタン７３を操作部７の上面部２００に取付けるとともに、補助装置非搭載用カバーパネル２０２の左側を操作部上面パネル２０１に固定する。
【００８６】
次に、作業者は、ベットボタン７４の本体ケース７２１を補助装置非搭載用カバーパネル２０２の取付用貫通部２８２及び操作部上面パネル２０１の取付開口２１２に挿入し、フランジ部７２３を補助装置非搭載用カバーパネル２０２の外側面における取付用貫通部２８２の縁に係止させ、操作部上面パネル２０１の取付開口２１２から下方に突出した本体ケース７２１の雄ネジ部７２４にナット７３０が前扉３の裏側から螺着して、ナット７３０を操作部上面パネル２０１の内側面に係止させることで、ベットボタン７４を操作部７の上面部２００に取付けられるとともに、補助装置非搭載用カバーパネル２０２の左側を操作部上面パネル２０１に固定する。
【００８７】
次に、作業者は、メダル投入ガイド７１の基部７０１を補助装置非搭載用カバーパネル２０２の切欠部２８３に挿入し、操作部上面パネル２０１のメダル投入用開口２１３に挿入し、外装部７０２の下面を補助装置非搭載用カバーパネル２０２の外側面に係止させ、メダル投入ガイド７１の基部７０１を、前扉３の裏側からネジ５０１、５０１によりメダル投入用開口２１３内のネジ止め部２１４、２１４にネジ止め固定する。これによりメダル投入ガイド７１は、操作部７の上面部２００に取付け固定され、補助装置非搭載用カバーパネル２０２の右側を操作部上面パネル２０１に固定する。
【００８８】
以上に示した組み立て作業により操作部７は遊技補助装置４００を使用しない状態で完成する。
【００８９】
次に、遊技補助装置４００について詳細に説明する。
図１６において、遊技補助装置４００は、前記補助開口２２０を閉塞する板状部４０１の表面に左右の操作釦４３１、４３２と表示部４４０を設け、裏面に箱形状の回路収納部４０２を介してのネジ止め部４２１、４２２及びハーネス４０３を設けたものである。ハーネス４０３は、図１に示したスロットマシン１の本体筐体２に形成された開孔を介してスロットマシン用ＣＲ機と接続する。
【００９０】
表示部４４０は、板状部４０１の表面の略中央部に配置している。この表示部４４０は、２１個の発光デイオード４４１により構成されており、発光デイオード４４１の点灯と消灯を選択することで３桁の数字を切り換えて表示できるようになっている。
【００９１】
左右の操作釦４３１、４３２は、板状部４０１の表面における左側及び右側の後方寄りの位置に設けられている。
板状部４０１の表面における左右の操作釦４３１、４３２より前側の位置には、それぞれ“メダル貸”の文字４３３及び“返却”の文字４３４がスクリーン印刷により印刷されている。板状部４０１の表面から見た外形寸法は、前記補助開口２２０の表面から見た段部２４１の内形寸法と略一致している。回路収納部４０２の裏面から見た外形寸法は、前記補助開口２２０のフランジ部２４２の内形寸法と略一致している。
【００９２】
ネジ止め部４２１、４２２は、板状に形成され、板状部４０１の裏面における左側及び右側の後方寄りの位置に設けられている。これらネジ止め部４２１、４２２には、ネジ５１１、５１２が挿入される貫通孔４２３、４２４が形成されている。
【００９３】
ネジ５１１、５１２は、それぞれのネジ部がネジ止め部４２１、４２２の貫通孔４２３、４２４に挿入し、第１及び第２の開口側突起部２２１、２２２のネジ穴２２５、２２６（図１１参照）に螺入して締め付けられることで、ネジ止め部４２１、４２２を第１及び第２の開口側突起部２２１、２２２にネジ止め固定する。
【００９４】
補助装置搭載用カバーパネル２０５は、補助開口２２０に遊技補助装置４００を取付けた状態で使用されるのものであり、遊技補助装置４００の板状部４０１の表面を露出させる窓部２０６が形成されている。窓部２０６の内形寸法は、遊技補助装置４００の板状部４０１の表面から見た外形寸法と略一致している。補助装置搭載用カバーパネル２０５の他の部分は、図４に示した補助装置非搭載用カバーパネル２０２と一致しており、操作部上面パネル２０１の上に重ねて取付けられる。
【００９５】
以下、前記補助カバー３００を使用せず遊技補助装置４００を使用して操作部７を組み立てる方法について説明する。
まず、作業者は、図１６に示す遊技補助装置４００の板状部４０１の裏面を前記操作部７の操作部上面パネル２０１の補助開口２２０に向け、回路収納部４０２を前記補助開口２２０のフランジ部２４２の内側に挿入し、板状部４０１の下部を前記補助開口２２０の段部２４１の内側に挿入し、前扉３の裏側からネジ５１１、５１２のネジ部をネジ止め部４２１、４２２の貫通孔４２３、４２４に挿入し、第１及び第２の開口側突起部２２１、２２２のネジ穴２２５に螺入してネジ５１１、５１２を締め付けることで、ネジ止め部４２１、４２２を第１及び第２の開口側突起部２２１、２２２にネジ止め固定する。これにより図１７に示すように補助開口２２０には遊技補助装置４００が取付け固定される。
【００９６】
次に、作業者は、補助装置搭載用カバーパネル２０５の窓部２０６に遊技補助装置４００の板状部４０１の上部を挿入した状態で、操作部上面パネル２０１（図４参照）の段部２１０（図４参照）及びパネル面４１（図４参照）の下部に囲まれる領域に補助装置搭載用カバーパネル２０５を配置する。これにより、図１８に示すように操作部上面パネル２０１に補助装置搭載用カバーパネル２０５が重ね合された状態になる。
【００９７】
この後、作業者は、前述した補助装置非搭載用カバーパネル２０２の場合と同様に、補助装置搭載用カバーパネル２０５及び操作部上面パネル２０１にメダル投入ガイド７１及びベットボタン７３、７４を取付けることで、補助装置搭載用カバーパネル２０５が操作部上面パネル２０１に固定され、遊技補助装置４００を取付けた状態で操作部７が完成する。この状態では、補助装置搭載用カバーパネル２０５の窓部２０６から遊技補助装置４００の板状部４０１の表面が露出し、表示部４４０が外側から視認可能になるとともに左右の操作釦４３１、４３２が操作可能になる。
【００９８】
以上に説明した構造及び組み立て方法により、図２に示す本体筐体２は、前方に開口８を有し内部に電気部品を収納している。
前扉３は、前記本体筐体２に対して回動可能に取付けられることで前記開口８を開閉可能な状態で閉塞させる。
【００９９】
図４に示す操作部７は、前記前扉３の前面における上下方向の略中央部に設けられ、操作ボタン（ベットボタン７３、７４、ストップボタン７６ａ、７６ｂ、７６ｃ）や操作レバー（スタートレバー７５）が配設される上面パネル２０１及び操作部前面パネル２０３を有し、遊技の補助を行う遊技補助装置４００（図１６参照）または補助カバー３００のいずれか一方を選択して取付け可能な補助開口２２０が上面パネル２０１に形成されている。
【０１００】
前記操作部７における補助開口２２０の奥方には、前記遊技補助装置４００の少なくとも一部を収容可能な空間２５０（図１４参照）が形成されている。
前記操作部７の内部における前記補助開口２２０の近傍には、図１１に示すように、前記遊技補助装置４００（図１６参照）を選択して取付け固定可能なネジ穴２２５、２２６が選択取付部として設けられるとともに、第１及び第２の開口側突起部２２１、２２２と一つの開口側ネジ止め部２３０が設けられている。
【０１０１】
前記上面パネル２０１の上面における補助開口２２０の縁には、図６に示すように下方に向けて窪む段部２４１を介して内側フランジ部２４２が形成されている。
【０１０２】
図８に示す前記補助カバー３００の裏面の外周には前記内側フランジ部２４２（図６参照）に係止して前記補助開口２２０（図６参照）の縁を覆う外側フランジ部３４２が上方に向けて窪む段部３４１を介して形成されている。
【０１０３】
前記補助カバー３００の裏面には、前記第１及び第２の開口側突起部２２１、２２２（図６参照）にそれぞれ係止する第１及び第２のカバー側係止爪３２１、３２２が形成されるとともに、前記開口側ネジ止め部２３０（図６参照）にネジ止め固定されるカバー側ネジ止部３３０が形成されている。
【０１０４】
前記操作部７に前記遊技補助装置４００（図１６参照）を取付けないときには、図６に示す前記第１及び第２の開口側突起部２２１、２２２にそれぞれ前記第１及び第２のカバー側係止爪３２１、３２２を係止し、前記カバー側ネジ止部３３０を前記開口側ネジ止め部２３０にネジ止め固定することで前記補助開口２２０に補助カバー３００を取付けるとともに、前記操作部７の前記補助開口２２０を含む前記上面パネル２０１を覆う第１のカバーパネルである補助装置非搭載用カバーパネル２０２（図４参照）を当該上面パネル２０１に取付ける。
【０１０５】
前記操作部７に前記遊技補助装置４００を取付けるときには、前記遊技補助装置４００を外面側に露出させる開口が形成された第２のカバーパネルである補助装置搭載用カバーパネル２０５（図１６参照）を前記操作部７の前記上面パネル２０１に取付ける。
前記選択取付部であるネジ穴２２５、２２６は、前記第１及び第２の開口側突起部２２１、２２２に形成され、前記遊技補助装置４００をネジ止めするネジ止め部になっている。
【０１０６】
図１乃至図１５に示した実施形態のスロットマシン１によれば、前記第１及び第２の開口側突起部２２１、２２２に前記第１及び第２のカバー側係止爪３２１、３２２を係止し、前記カバー側ネジ止部３３０を前記開口側ネジ止め部２３０にネジ止め固定することで一箇所のネジ止めにより補助カバー３００の３箇所が固定されることになり、また、前記補助カバー３００の外側フランジ部３４２が前記補助開口２２０の前記内側フランジ部２４２に係止して前記補助開口２２０の縁を覆うことで、補助開口２２０の内周と補助カバー３００の隙間に不正器具が挿入されるのを防止するとともに、遊技補助装置４００用の補助開口２２０に補助カバー３００を取付ける場合における作業時間の短縮が可能になり、補助開口２２０に遊技補助装置４００を取付る遊技機と補助開口２２０に遊技補助装置４００の代わりに補助カバー３００を取付ける遊技機で部品を共通化した場合にも製造コストをあまり増大させることなく不正行為の防止を行える。
【０１０７】
また、図１乃至図１８に示した実施形態のスロットマシン１によれば、補助装置非搭載用カバーパネル２０２（図４参照）により前記操作部７の前記補助開口２２０を含む上面を覆うことができる。
【０１０８】
また、図１乃至図１８に示した実施形態のスロットマシン１によれば、補助装置搭載用カバーパネル２０５（図１６参照）の補助開口２２０により前記遊技補助装置４００を外面側に露出させることができる。
【０１０９】
また、図１乃至図１８に示した実施形態のスロットマシン１によれば、選択取付部は、前記第１及び第２の開口側突起部２２１、２２２に形成されているので、構造を余り複雑化させることなく、補助開口２２０の内周と補助カバー３００の隙間に不正器具が挿入されるのを防止するとともに、遊技補助装置４００用の補助開口２２０に補助カバー３００を取付ける場合における作業時間の短縮が可能になる。
【０１１０】
尚、図１乃至図１８に示した実施形態では、前記遊技補助装置４００としてＣＲ機用の操作表示装置を用いたが、遊技補助装置４００としては演出を変更するための操作部等各種適用可能である。
【産業上の利用可能性】
【０１１１】
本発明は、スロットマシンに限らず、メダルを使用するアレンジボール、雀球遊技機等の他の遊技機に応用することができる。
【図面の簡単な説明】
【０１１２】
【図１】図１は、本発明の一実施形態によるスロットマシンの外観構造を表した斜視図である。
【図２】図２は、本発明の一実施形態によるスロットマシンの内部構造を表した図である。
【図３】図３は、本発明の一実施形態によるスロットマシンの制御システムを表したブロック図である。
【図４】図４は、本発明の一実施形態による前扉の分解斜視図である。
【図５】図５は、本発明の一実施形態による前扉の裏面図である。
【図６】図６は、本発明の一実施形態による操作部の補助開口、補助カバー及びその周辺部の分解斜視図である。
【図７】図７は、本発明の一実施形態による操作部の補助開口、補助カバー及びその周辺部の組み立てた状態の斜視図である。
【図８】図８は、本発明の一実施形態による補助カバーの左斜め下から見た斜視図である。
【図９】図９は、本発明の一実施形態による補助カバーの正面図である。
【図１０】図１０は、本発明の一実施形態による補助カバーの底面図である。
【図１１】図１１は、本発明の一実施形態による前扉の裏側から見た補助開口及びその周辺部の補助カバーを取付けていない状態の斜視図である。
【図１２】図１２は、本発明の一実施形態による前扉の裏側から見た補助開口及びその周辺部の補助カバーを仮固定した状態の斜視図である。
【図１３】図１３は、本発明の一実施形態による前扉の裏側から見た補助開口及びその周辺部の補助カバーをネジ止め固定した状態の斜視図である。
【図１４】図１４は、本発明の一実施形態による前扉の補助開口及びその周辺部の左側から見た断面図である。
【図１５】図１５は、本発明の一実施形態による前扉の補助開口及びその周辺部の正面から見た断面図である。
【図１６】図１６は、本発明の一実施形態による操作部の補助開口、遊技補助装置及びその周辺部の分解斜視図である。
【図１７】図１７は、本発明の一実施形態による操作部上面パネルの補助開口に遊技補助装置を取付けた状態の斜視図である。
【図１８】図１８は、本発明の一実施形態による操作部の補助開口、遊技補助装置及びその周辺部の組み立てた状態の斜視図である。
【符号の説明】
【０１１３】
１…スロットマシン、２…本体筐体、３…前扉、４…上部パネル部、
５…下部パネル部、６…メダル受皿部、７…操作部、８…開口、
２０…主制御基板、２１…ホッパ装置、２２…メダル排出口、
２３…補助貯留部、２４…電源ユニット、２５…電源基板、
２６…外部集中端子基板、３０…発光駆動部、
３２ａ、３２ｂ…スピーカ、３３…中央表示基板、
３４…メダル選別装置、３５…ガイド部材、
３６…ガイド部材、３７…ガイド部材、３８ａ、３８ｂ…スピーカ、
４０…サブ制御基板、４１…パネル面、
４２…表示窓、４３…演出用照明部、
４４ａ、４４ｂ…演出用放音部、４６…液晶表示装置、
４５…表示窓、４７…パネル板、５０…演出装置、
５１…表示パネル、６１…メダル払出口、６２…メダル受皿、
６３ａ、６３ｂ…左右の演出用放音部、７１…メダル投入ガイド、
７２…メダル投入口、７３、７４…ベットボタン、
７５…スタートレバー、７６ａ、７６ｂ、７６ｃ…ストップボタン、
７７…精算ボタン、７８…鍵穴、８０、９０…基板ケース、
８１、８２…ブラケット部材、１００…リールユニット、
１０１ａ、１０１ｂ、１０１ｃ…リール、
１０２ａ、１０２ｂ、１０２ｃ…ステッピングモータ、
１０３ａ、１０３ｂ、１０３ｃ…基準位置センサ、
１１０…回胴装置基板、１２０…ＣＰＵ、１２１…記憶部、
１２２…システムプログラム、１２３…メダルクレジット手段、
１２４…入賞抽選テーブル、１２５…内部抽選フラグ記憶領域、
１２６…乱数発生装置、１３１…メダルセンサ、
２００…上面部、２０１…操作部上面パネル、
２０２…補助装置非搭載用カバーパネル、２０３…前面パネル、
２１０…段部、２１１、２１２…取付開口、２１３…メダル投入用開口、
２１４…ネジ止め部、２２０…補助開口、
２２１、２２２…開口側突起部、２２５、２２６、２３１…ネジ穴、
２３０…開口側ネジ止め部、２２３、２２４…リブ、
２４１…段部、２４２…内側フランジ部、２５０…空間、
２８１、２８２…取付用貫通部、２８３…切欠部、
３００…補助カバー、３０１…平面部、
３１１、３１２、３１３、３１４…側壁、３１５、３１６…リブ、
３１７、３１８…凹部、３２１、３２２…カバー側係止爪、
３２３、３２４…板状部、３２５、３２６…凸部、
３２７、３２８…切欠部、３３０…カバー側ネジ止部、３３１…貫通孔、
３４１…段部、３４２…外側フランジ部、
４００…遊技補助装置、５０１、５０２…ネジ、７０１…基部、
７０２…外装部、７０３…ガイド溝、７０４…ストッパ壁、
７０５、７０６…円弧状ガイド壁、７１１…本体ケース、
７１２…押圧部、７１３…フランジ部、７１４…係止爪、
７２１…本体ケース、７２２…押圧部、７２３…フランジ部、
７２４…雄ネジ部
【図１】
2008272349.tif 000003
【図２】
2008272349.tif 000004
【図３】
2008272349.tif 000005
【図４】
2008272349.tif 000006
【図５】
2008272349.tif 000007
【図６】
2008272349.tif 000008
【図７】
2008272349.tif 000009
【図８】
2008272349.tif 000010
【図９】
2008272349.tif 000011
【図１０】
2008272349.tif 000012
【図１１】
2008272349.tif 000013
【図１２】
2008272349.tif 000014
【図１３】
2008272349.tif 000015
【図１４】
2008272349.tif 000016
【図１５】
2008272349.tif 000017
【図１６】
2008272349.tif 000018
【図１７】
2008272349.tif 000019
【図１８】
2008272349.tif 000020